(57)【特許請求の範囲】
【請求項１】
電源周波数ｆsでオン・オフ駆動される半導体スイッチング素子を用いて直流電力をスイッチングすると共に、スイッチングされた電力を整流・平滑化してＡＭラジオ受信機を含む電子機器に直流電圧を供給するスイッチング電源装置本体と、
ＡＭラジオ受信周波数ｆcを検出する受信周波数検出手段と、
前記半導体スイッチング素子のスイッチング動作に伴って発生して前記ＡＭラジオ受信周波数ｆcに干渉する電源高調波成分を検出する高調波検出手段と、
検出された電源高調波成分が前記ＡＭラジオ受信周波数ｆcよりも高いか低いかを判定する周波数判定手段と、
この判定結果に従って前記電源高調波成分を含まない側の前記ＡＭラジオ受信周波数ｆcの側波帯において、前記スイッチングの電源周波数ｆs、前記電源高調波成分の次数ｎ、前記ＡＭラジオ受信周波数ｆcおよびその帯域幅ＢＷとから、該帯域幅ＢＷを避けて前記電源周波数ｆsに対するジッタ幅Δｆを決定するジッタ幅決定手段と、
決定したジッタ幅Δｆに従って前記電源周波数ｆsをジッタ制御して前記半導体スイッチング素子を周波数［ｆs±Δｆ／２］でスイッチングするジッタ制御手段と
を具備した電源装置であって、
前記ジッタ幅決定手段は、前記電源高調波成分が前記ＡＭラジオ受信周波数ｆcよりも高いときには
（ｆs−Δｆ／２）×ｎ  ＞ ｆc＋ＢＷ／２
なる関係を、前記電源高調波成分が前記ＡＭラジオ受信周波数ｆcよりも低いときには
（ｆs＋Δｆ／２）×ｎ ＜ ｆc−ＢＷ／２
なる関係を満たすジッタ幅Δｆを求めるものであることを特徴とするスイッチング電源装置。
【請求項２】
電源周波数ｆsでオン・オフ駆動される半導体スイッチング素子を用いて直流電力をスイッチングすると共に、スイッチングされた電力を整流・平滑化してＡＭラジオ受信機を含む電子機器に直流電圧を供給するスイッチング電源装置本体と、
ＡＭラジオ受信周波数ｆcを検出する受信周波数検出手段と、
前記半導体スイッチング素子のスイッチング動作に伴って発生して前記ＡＭラジオ受信周波数ｆcに干渉する電源高調波成分を検出する高調波検出手段と、
検出された電源高調波成分が前記ＡＭラジオ受信周波数ｆcよりも高いか低いかを判定する周波数判定手段と、
この判定結果に従って前記電源高調波成分を含まない側の前記ＡＭラジオ受信周波数ｆcの側波帯において、前記スイッチングの電源周波数ｆs、前記電源高調波成分の次数ｎ、前記ＡＭラジオ受信周波数ｆcおよびその帯域幅ＢＷとから、該帯域幅ＢＷを避けて前記電源周波数ｆsに対するジッタ幅Δｆを決定するジッタ幅決定手段と、
決定したジッタ幅Δｆに従って前記電源周波数ｆsをジッタ制御して前記半導体スイッチング素子を周波数［ｆs±Δｆ／２］でスイッチングするジッタ制御手段と
を具備した電源装置であって、
前記ジッタ制御手段は、前記ジッタ幅決定手段にて求められたジッタ幅Δｆが負であるとき、前記スイッチング電源周波数ｆsのジッタ制御を実行しないことを特徴とするスイッチング電源装置。
【発明の詳細な説明】
【技術分野】
【０００１】
本発明は、電源ノイズに起因するＡＭラジオ放送の受信障害を回避すると共に、電源ノイズの低減を図ったスイッチング電源装置に関する。
【背景技術】
【０００２】
スイッチング電源装置においては、半導体スイッチング素子でのスイッチング動作に伴う高周波の電源ノイズ（電磁輻射雑音；ＥＭＩノイズ）が生じることが否めない。この種の電源ノイズの周波数がＡＭラジオ周波数帯域に重なるとＡＭラジオ放送の受信を妨げる原因となる（ＡＭ受信障害）。そこで従来においては、ＡＭラジオ受信機においてスイッチング電源装置からの高周波の電源ノイズが含まれない側の側波帯からＡＭ信号を復調することで、その受信障害を回避することが提唱されている（例えば特許文献１を参照）。
【０００３】
またスイッチング電源装置におけるスイッチング周波数にランダムな揺らぎ（ジッタ）を与えることで、スイッチング動作に伴う電磁輻射雑音（電源ノイズ）を低減することも提唱されている（例えば特許文献２を参照）。
【先行技術文献】
【特許文献】
【０００４】
【特許文献１】特公昭６３−１５８９２９号公報
【特許文献２】特開２００３−１５３５２６号公報
【発明の概要】
【発明が解決しようとする課題】
【０００５】
しかしながら特許文献２に紹介されるスイッチング周波数のジッタ制御技術を用いて電源ノイズを低減したとしても、その電源ノイズによってＡＭラジオ放送の受信障害が回避されるとは限らない。むしろスイッチング周波数をジッタ制御した場合、電源ノイズのパワースペクトラムが特定周波数に集中することなく周波数軸上で拡散する。この為、電源ノイズ周波数がＡＭラジオ周波数帯域と重なる（干渉する）可能性が高まり、かえってＡＭラジオ放送の受信障害の要因となることが懸念される。
【０００６】
本発明はこのような事情を考慮してなされたもので、その目的は、電源ノイズ周波数とＡＭラジオ周波数帯域との干渉を避けてＡＭラジオ放送の受信障害を回避すると共に、電源ノイズの低減を図ったスイッチング電源装置を提供することにある。
【課題を解決するための手段】
【０００７】
上述した目的を達成するべく本発明に係るスイッチング電源装置は、
電源周波数ｆsでオン・オフ駆動される半導体スイッチング素子を用いて直流電力をスイッチングすると共に、スイッチングされた電力を整流・平滑化してＡＭラジオ受信機を含む電子機器に直流電圧を供給するスイッチング電源装置本体と、
ＡＭラジオ受信周波数ｆcを検出する受信周波数検出手段と、
前記半導体スイッチング素子のスイッチング動作に伴って発生して前記ＡＭラジオ受信周波数ｆcに干渉する電源高調波成分を検出する高調波検出手段と、
検出された電源高調波成分が前記ＡＭラジオ受信周波数ｆcよりも高いか低いかを判定する周波数判定手段と、
この判定結果に従って前記電源高調波成分を含まない側波帯側において前記スイッチングの電源周波数ｆs、前記電源高調波成分の次数ｎ、前記ＡＭラジオ受信周波数ｆcおよびその帯域幅ＢＷとから、該帯域幅ＢＷを避けて前記電源周波数ｆsに対するジッタ幅Δｆを決定するジッタ幅決定手段と、
決定したジッタ幅Δｆに従って前記電源周波数ｆsをジッタ制御して前記半導体スイッチング素子を周波数［ｆs±Δｆ／２］でスイッチングするジッタ制御手段と
を具備したことを特徴としている。
【０００８】
好ましくは前記ジッタ幅決定手段は、前記電源高調波成分が前記ＡＭラジオ受信周波数ｆcよりも高いときには
（ｆs−Δｆ／２）×ｎ ＞ ｆc＋ＢＷ／２
なる関係を、前記電源高調波成分が前記ＡＭラジオ受信周波数ｆcよりも低いときには
（ｆs＋Δｆ／２）×ｎ ＜ ｆc−ＢＷ／２
なる関係を満たすジッタ幅Δｆを求めるように構成される。
【０００９】
また前記ジッタ制御手段は、例えば一定周期ｆmの三角波信号を用いて前記半導体スイッチング素子を導通駆動するパルス信号をＰＷＭ変調して前記電源周波数ｆsを±Δｆ／２の範囲に亘って変調するものからなる。尚、前記ジッタ制御手段においては、前記ジッタ幅決定手段にて求められたジッタ幅Δｆが負であるとき、前記電源周波数ｆsのジッタ制御を実行しないことが望ましい。
【発明の効果】
【００１０】
上記構成のスイッチング電源装置によれば、受信対象とするＡＭラジオ受信周波数の側帯域幅ＢＷを避けてスイッチングの電源周波数ｆsに対するジッタ幅Δｆを決定し、電源高調波成分を含まない前記ＡＭラジオ受信周波数の側波帯側において前記電源周波数ｆsをジッタ制御するので、電源ノイズ周波数とＡＭラジオ周波数帯域との干渉を避けることができ、以てＡＭラジオ放送の受信障害を回避することができる。
【００１１】
しかも電源周波数ｆsのジッタ制御によって電源ノイズ周波数のパワースペクトルを拡散し、そのノイズレベルを低減することができるので、ＡＭラジオ受信機を含む電子機器に対する雑音障害を大幅に軽減することができる。またスイッチング電源装置を搭載した車両が移動し、これに伴って受信可能なＡＭラジオ周波数が変化しても、受信対象とするＡＭラジオ放送の周波数に応じて前記電源周波数ｆsのジッタ制御幅を適応的に変更することができるので、その環境（車両の移動地域）に応じて効果的に電源ノイズの低減を図ることが可能となる。
【図面の簡単な説明】
【００１２】
【図１】本発明の一実施形態に係るスイッチング電源装置の概略構成図。
【図２】図１に示すスイッチング電源装置におけるマイクロコンピュータでの処理機能を示す図。
【図３】スイッチング電源周波数のジッタ制御の概念を示す図。
【図４】三角波を用いたスイッチング電源周波数のジッタ制御の例を示す図。
【図５】スイッチング電源周波数のジッタ制御に伴う電源ノイズ強度の変化を示す図。
【発明を実施するための形態】
【００１３】
以下、図面を参照して本発明の一実施形態に係るスイッチング電源装置について説明する。
【００１４】
図１はスイッチング電源装置１の全体構成を示す概略図であって、１０はスイッチング電源装置本体（ＤＣ・ＤＣコンバータ）である。このスイッチング電源装置本体１０は車載用のものであって、車両に搭載されたバッテリ（図示せず）から供給される直流電力（１２Ｖ）を所定の電源周波数ｆsでスイッチングして絶縁トランス１１に加え、この絶縁トランス１１の二次側から取り出される交流電力を整流・平滑化して該スイッチング電源装置本体１０と共に車両に搭載された各種の電子機器（車両搭載機器）に直流電圧を供給する役割を担う。
【００１５】
具体的には前記直流電力（１２Ｖ）は、スイッチング電源装置本体１０の入力段に設けられたインダクタ１２と入力コンデンサ１３とからなる入力フィルタ回路を介して取り込まれ、絶縁トランス１１の一次側を介して半導体スイッチング素子（以下、スイッチ素子と略す）１４に与えられてスイッチングされる。このスイッチ素子１４は、例えばＩＧＢＴからなるものであって、スイッチング制御回路である電源ＩＣ１５の制御の下で電源周波数ｆsでオン・オフ駆動される。このスイッチ素子１４のスイッチングによって前記直流電力が前記絶縁トランス１１を介して交流電力に変換される。
【００１６】
そして絶縁トランス１１の二次側から昇圧されて取り出される交流電力は、整流ダイオード１６および出力コンデンサ１７からなる出力フィルタ回路を介して整流・平滑化されて、例えば１５Ｖの直流電力として前記車両に搭載された前記ＡＭラジオ受信機２０等に供給される。尚、ここでは絶縁トランス１１を用いたフライバック方式のＤＣ・ＤＣコンバータを例に説明するが、自励式のＤＣ・ＤＣコンバータを除いて、従来より提唱されている各種回路方式のＤＣ・ＤＣコンバータに適用可能である。
【００１７】
またこのスイッチング電源装置本体１０における電源ＩＣ１５は、例えば基本電源周波数ｆsが１００ｋＨzのパルス信号を生成して前記スイッチ素子１４をオン・オフ駆動する発振器１５aを備えると共に、上記パルス信号をＰＷＭ制御することで前記電源周波数ｆsに揺らぎ（ジッタ）を与えるジッタ制御部１５ｂを備える。このジッタ制御部１５ｂは、後述するように設定されたジッタ幅Δｆの下で、例えば三角波を制御信号波形として前記電源周波数を［ｆs±Δｆ／２］の範囲で偏移させて前記スイッチ素子１４をスイッチング（オン・オフ駆動）する役割を担う。尚、このジッタ制御部１５ｂによるジッタ制御が停止された場合には、前記スイッチ素子１４は一定（１００ｋＨz）の電源周波数ｆsでスイッチングされる。
【００１８】
このように構成されたスイッチング電源装置本体１０に対して、このスイッチング電源装置１は更に前記ＡＭラジオ受信機２０にて受信する（受信しようとする）ラジオ放送のＡＭラジオ受信周波数ｆcを検出し、このＡＭラジオ受信周波数ｆcに応じて前記電源周波数ｆsに対するジッタ幅Δｆを決定して前記ジッタ制御部１５ｂの作動を制御する電源ＩＣ制御機能を備える。この電源ＩＣ制御機能は、例えば前記スイッチング電源装置本体１０に付随して設けられたマイクロコンピュータ（マイコン）３０によって実現されるものであって、該マイクロコンピュータ３０には以下の処理機能が組み込まれる。
【００１９】
即ち、マイクロコンピュータ３０には、前記ＡＭラジオ受信機２０でのＡＭラジオ受信周波数ｆcを検出する受信周波数検出手段と、前記スイッチング電源装置本体１０が発生して前記ＡＭラジオ受信周波数ｆcに干渉する電源高調波成分（高調波雑音）を検出する高調波検出手段と、これらの検出結果に従って前記電源周波数ｆsに対するジッタ幅Δｆを決定して、その決定情報を前記電源ＩＣ１５（ジッタ制御部１５ｂ）に与えるジッタ幅決定手段とを備える。
【００２０】
具体的には前記マイクロコンピュータ３０においては、図２にその処理の流れを示すように、先ず前記スイッチング電源装置本体１０の仕様に基づいて該スイッチング電源装置本体１０におけるスイッチングの基本電源周波数ｆsを取得する＜電源周波数取得手段３１＞。またマイクロコンピュータ３０は、前記ＡＭラジオ受信機２０の選局情報から受信対象とするＡＭラジオ受信周波数ｆcを検出する＜受信周波数検出手段３２＞。
【００２１】
その上で前記マイクロコンピュータ３０は、上述した如く検出した基本電源周波数ｆsと前記ＡＭラジオ受信周波数ｆcとに基づいて、当該受信周波数ｆcのＡＭラジオ放送の受信障害の要因となる前記スイッチング電源装置本体１０からの電源雑音周波数成分を決定する。具体的には前記スイッチ素子１４でのスイッチングに伴って発生する電源高調波成分を、その高調波の次数ｎ［＝ｆc／ｆs］として決定する＜高調波検出手段３３＞。そして検出した電源高調波成分が前記ＡＭラジオ受信周波数ｆcよりも高いか低いかを判定する＜周波数判定手段３４＞。
【００２２】
しかる後、この判定結果に従って前記電源高調波成分を含まない前記ＡＭラジオ受信周波数ｆcの側波帯側において、前記スイッチングの電源周波数ｆs、前記電源高調波成分の次数ｎ、前記ＡＭラジオ受信周波数ｆcおよびその帯域幅ＢＷとから、該帯域幅ＢＷを避けて前記電源周波数ｆsに対するジッタ幅Δｆを決定する＜ジッタ幅決定手段３５＞。
【００２３】
具体的には前記電源高調波成分が前記ＡＭラジオ受信周波数ｆcよりも低い場合には、
（ｆs＋Δｆ／２）×ｎ ＜ ｆc−ＢＷ／２    …(１)
なる条件を満たすように前記電源周波数ｆsに対するジッタ幅Δｆを決定する。逆に電源高調波成分が前記ＡＭラジオ受信周波数ｆcよりも高い場合には、
（ｆs−Δｆ／２）×ｎ ＞ ｆc＋ＢＷ／２    …(２)
なる条件を満たすように前記電源周波数ｆsに対するジッタ幅Δｆを決定する。
【００２４】
そしてマイクロコンピュータ３０は、上述した如く決定したジッタ幅Δｆを前記電源ＩＣ１５のジッタ制御部１５ｂに与える＜ジッタ幅通知手段３６＞。すると前記ジッタ制御部１５ｂは前記マイクロコンピュータ３０にて決定された上記ジッタ幅Δｆに従って、前記電源高調波成分を含まないＡＭラジオ受信周波数ｆcの側波帯側において前記電源周波数ｆsをジッタ制御して前記スイッチ素子１４を周波数［ｆs±Δｆ／２］でスイッチングすることになる。
【００２５】
尚、電源高調波成分が前記ＡＭラジオ受信周波数ｆcの両側波帯に含まれ、電源周波数ｆsをジッタ制御しても前記ＡＭラジオ受信周波数ｆcの受信障害を回避することが不可能な場合には、前記ジッタ制御部１bの作動を禁止することで前記電源周波数ｆsのジッタ制御は行わない。従ってこの場合には、前記スイッチ素子１４は一定の電源周波数ｆsにてスイッチングされることになる。
【００２６】
ここで前記電源周波数ｆsのジッタ制御について今少し詳しく説明する。前記スイッチ素子１４をスイッチングする電源周波数ｆsのジッタ制御は、図３にその概念を示すように、例えばスイッチ素子１４をオン・オフ駆動する一定周波数ｆs（例えば１００ｋＨz）のパルス信号をＰＷＭ変調して、９５ｋＨzから１０５ｋＨzの範囲で周波数変位することによってなされる。この周波数変位の制御は、例えば図４に示すようにその制御信号として三角波を用い、一定の周期ｆmで前記一定周波数ｆsを±Δｆ／２の周波数範囲で変化させることによって達成される。
【００２７】
このような電源周波数ｆsのジッタ制御によれば、図５に示すように電源周波数ｆs（１００ｋＨz）でのノイズ強度（ピーク電力レベル）が、［ｆs±Δｆ／２］なる周波数範囲（９５ｋＨz〜１０５ｋＨz）でスペクトラム拡散し、そのピーク電力レベルが相対的に低下する。この結果、高調波電源ノイズの周波数帯域も広がり、これに伴って高調波電源ノイズ（伝導ＥＭＩノイズ）の平均強度も大きく低下する。
【００２８】
具体的には１００ｋＨzの電源周波数ｆsに対して±７ｋＨzのジッタ制御を施すことで、５００ｋＨzのＡＭラジオ受信周波数帯における電源ノイズ強度の平均値が５８dＢμＶから４２dＢμＶに低下する。また１５００ｋＨzのＡＭラジオ受信周波数帯における電源ノイズ強度の平均値も、４２dＢμＶから２６dＢμＶに低下する。即ち、例えば５００ｋ〜１７００ｋＨzのＡＭラジオ受信周波数帯域における伝導ＥＭＩノイズ強度の平均値は、上述した電源周波数ｆsのジッタ制御によって略１５dＢμＶ以上低下する。
【００２９】
しかし電源ノイズ周波数のスペクトラム拡散によって、その電源ノイズの高調波周波数成分がＡＭラジオ受信周波数ｆcと干渉し、ＡＭラジオ放送受信の受信障害を招来することが懸念される。そこでこの装置１においては前述したように基本電源周波数ｆsとＡＭラジオ受信周波数ｆcとに基づいて、当該受信周波数ｆcのＡＭラジオ放送の受信障害の要因となる高調波電源ノイズ周波数成分の次数ｎを決定し、前記ＡＭラジオ受信周波数ｆcおよびその帯域幅ＢＷとから、該帯域幅ＢＷを避けて前記電源周波数ｆsに対するジッタ幅Δｆを決定している。
【００３０】
具体的にはＡＭラジオ受信周波数ｆcが５４０ｋＨzである場合、該ＡＭラジオ放送の受信障害の要因となる高調波電源ノイズの次数ｎを
ｎ＝ｆc／ｆs＝５４０ｋ／１００ｋ＝５.４（⇒５）
として決定する。そしてこの場合、高調波電源ノイズの周波数がＡＭラジオ受信周波数ｆcよりも低いので、前述した(１)式に数値ｆs（＝１００ｋ），ｆc（＝５４０ｋ），ｎ（＝５），ＢＷ（＝１５ｋ；一定）をそれぞれ代入して前記ジッタ幅Δｆを
（１００ｋ＋Δｆ／２）×５ ＜ ５４０ｋ−１５ｋ／２
Δｆ ＜ １３ｋ
として求める。
【００３１】
そして前記電源周波数ｆsの変位幅（Δｆ／２）を±６.５ｋＨzとして求め、例えば前記電源周波数ｆs（＝１００ｋ）を変位幅Δｆ／２（＝±６ｋＨz）の範囲でジッタ制御する。この結果、電源周波数ｆsのジッタ制御によってスイッチング周波数を９４ｋＨz〜１０６ｋＨzに変化させても、その高調波電源ノイズの周波数がＡＭラジオ受信周波数５４０ｋＨzの帯域幅１５ｋＨz内（５４０ｋＨz±１５／２ｋＨz；５３２.５ｋＨz〜５４７.５ｋＨz）に入り込むことがなくなる。従ってＡＭラジオ受信周波数ｆc（＝５４０ｋＨz）に干渉させることなく、電源ノイズ強度の低減を図ることが可能となる。
【００３２】
また同様に受信周波数ｆcが８６４ｋＨzのＡＭラジオ放送を受信する場合には、該ＡＭラジオ放送の受信障害の要因となる高調波電源ノイズの次数ｎを
ｎ＝ｆc／ｆs＝８６４ｋ／１００ｋ＝８.６４（⇒９）
として決定する。そしてこの場合には、高調波電源ノイズの周波数がＡＭラジオ受信周波数ｆcよりも高いので、前述した(２)式に数値ｆs（＝１００ｋ），ｆc（＝８６４ｋ），ｎ（＝９），ＢＷ（＝１５ｋ；一定）をそれぞれ代入して前記ジッタ幅Δｆを
（１００ｋ−Δｆ／２）×９ ＞ ８６４ｋ＋１５ｋ／２
Δｆ ＜ ６.３ｋ
として求める。
【００３３】
そして前記電源周波数ｆsの変位幅（Δｆ／２）を±３.１５ｋＨzとして求め、例えば前記電源周波数ｆs（＝１００ｋ）を変位幅Δｆ／２（＝±３ｋＨz）の範囲でジッタ制御する。この結果、電源周波数ｆsのジッタ制御によってスイッチング周波数を９７ｋＨz〜１０３ｋＨzに変化させても、その高調波電源ノイズの周波数がＡＭラジオ受信周波数８６５ｋＨzの帯域幅１５ｋＨz内（８６４ｋＨz±１５／２ｋＨz；８６３.５ｋＨz〜８７１.５ｋＨz）に入り込むことがなくなる。従ってこの場合においてもＡＭラジオ受信周波数ｆc（＝８６４ｋＨz）に干渉させることなく、電源雑音ノイズの低減を図ることが可能となる。
【００３４】
更に受信周波数ｆcが１５１２ｋＨzのＡＭラジオ放送を受信する場合には、該ＡＭラジオ放送の受信障害の要因となる高調波電源ノイズの次数ｎを
ｎ＝ｆc／ｆs＝１５１２ｋ／１００ｋ＝１５.１２（⇒１５）
として決定する。そしてこの場合には、高調波電源ノイズの周波数がＡＭラジオ受信周波数ｆcよりも低いので、前述した(１)式に数値ｆs（＝１００ｋ），ｆc（＝１５１２ｋ），ｎ（＝１５），ＢＷ（＝１５ｋ；一定）をそれぞれ代入して前記ジッタ幅Δｆを
（１００ｋ＋Δｆ／２）×１５ ＜ １５１２ｋ−１５ｋ／２
Δｆ ＜ −１ｋ
として求める。
【００３５】
しかしこの場合にはジッタ幅Δｆが負となる上（ジッタ制御条件不成立）、仮に電源周波数ｆsをジッタ制御した場合には、むしろＡＭラジオ受信周波数ｆc（＝１５１２ｋＨz）と干渉することになるので、この場合には電源周波数ｆsのジッタ制御を禁止する。換言すればＡＭラジオ受信周波数ｆc（＝１５１２ｋＨz）と干渉させないことを優先させて、前記電源周波数ｆsのジッタ制御による高調波電源ノイズの抑制を実行しない。つまり電源周波数ｆsのジッタ制御を行わない。
【００３６】
かくして上述した如くして電源周波数ｆsのジッタ幅Δｆを決定してスイッチング周波数をジッタ制御する本装置１によれば、受信対象とするＡＭラジオ受信周波数ｆcを検出することで、該ＡＭラジオ受信周波数ｆcとの干渉を避けながら、その高調波電源ノイズのレベル（雑音強度）を低減することができる。特に受信可能なＡＭラジオ放送の周波数は地域によって異なるが、本装置１を搭載した車両の位置（車両の移動地域）に応じて受信対象とするＡＭラジオ受信周波数ｆcを検出し、その検出情報に従って電源周波数ｆsのジッタ幅をΔｆを決定するだけで、適応的にＡＭラジオ受信周波数ｆcとの干渉を避けながら高調波電源ノイズのレベル（雑音強度）を低減することができる。従ってＡＭラジオ放送の受信障害を招来することなく高調波電源ノイズを低減することが可能となる。
【００３７】
尚、本発明は上述した実施形態に限定されるものではない。例えば電源周波数ｆsのジッタ制御については、前述した三角波に代えて正弦波等を用いてスイッチング用のパルス信号をＰＷＭ変調することも可能である。またここでは基本電源周波数ｆsを１００ｋＨzとして説明したが、別の電源周波数ｆsでスイッチングするＤＣ・ＤＣコンバータにおいても本発明を同様に適用可能なことは言うまでもない。その他、本発明はその要旨を逸脱しない範囲で種々変形して実施することができる。
【符号の説明】
【００３８】
１  スイッチング電源装置
１０  スイッチング電源装置本体（ＤＣ・ＤＣコンバータ）
１１  絶縁トランス
１２  インダクタ
１３  入力コンデンサ
１４  半導体スイッチング素子
１５  電源ＩＣ
１５ａ  発振器（スイッチング駆動部）
１５ｂ  ジッタ制御部
１６  整流ダイオード
１７  出力コンデンサ
２０  ＡＭラジオ受信機（電子機器）
３０  マイクロコンピュータ（マイコン）
【図１】
0006024175.tif 000002
【図２】
0006024175.tif 000003
【図３】
0006024175.tif 000004
【図４】
0006024175.tif 000005
【図５】
0006024175.tif 000006